【事件の表示】
　平成１１年特許願第２５８４９６号「電源装置」拒絶査定に対する審判事件［平成１３年　３月３０日出願公開、特開２００１−　８６７５０］について、次のとおり審決する。
【結　論】
　本件審判の請求は、成り立たない。
【理　由】
　［手続の経緯・本願発明］
　本願は、平成１１年９月１３日の出願であって、その請求項１に係る発明（以下「本願発明」という）は、平成１２年１２月２５日付けで補正された明細書及び図面の記載からみて、その特許請求の範囲に記載された次のとおりのものである。
　「一次巻線と、中点が設けられ一端から前記中点迄の巻線と他端から前記中点迄の巻線が同相とされた二次巻線と、を備えたトランスと、
　前記トランスの一次巻線に一方向の電圧を印加した後に電圧の印加を所定期間停止し、前記一次巻線に他方向の電圧を印加した後に電圧の印加を所定期間停止することを繰り返す電圧印加手段と、
　前記トランスの二次巻線の一端と、一定の基準電位とされる接続点との間に設けられた第１スイッチング素子と、
　前記トランスの二次巻線の他端と前記接続点との間に設けられた第２スイッチング素子と、
　前記二次巻線の中点と前記接続点との間に設けられた平滑回路と、
　前記第１スイッチング素子を、前記基準電位に対する前記二次巻線の一端の電位がハイレベルの間中オフさせ、前記一端の電位がローレベルの間中オンさせると共に、前記第２スイッチング素子を、前記基準電位に対する前記二次巻線の他端の電位がハイレベルの間中オフさせ、前記他端の電位がローレベルの間中オンさせる制御手段と、
　を含む電源装置。」
［引用例］
　１．原査定において引用された特開昭５８−１７５９７２号公報（以下「引用例」という）には、次のものが記載されている。
「直流を電源とする矩形波発振器からの正・負・零の期間を持つ矩形波をトランスの１次巻線に接続し、該トランスのセンタータップ付き２次巻線の一端から得られる出力を第１のスイッチング素子で、他端から得られる出力を第２のスイッチング素子でそれぞれ整流し、整流出力を平滑フィルタを通して直流出力として得るようにしたＤＣ−ＤＣコンバータにおいて、前記トランスの２次側に発生する電圧を検出し、その結果、任意の一極性の電圧が発生している期間と零電圧の期間では前記第１のスイッチング素子を導通させ、前記極性と反対極性の電圧が発生している期間と零電圧の期間では前記第２のスイッチング素子を導通させる手段を設けたことを特徴とするＤＣ−ＤＣコンバータ。」（特許請求の範囲）
　また、発明の詳細な説明の欄には以下の記載もある。
「第３図は本発明の一実施例を示す回路図である。同図において、１は直流電源、２は矩形波発振器、３はトランス、４，５はそれぞれ整流用電界効果トランジスタ、６は平滑フィルタ、７は出力端子、８，９はそれぞれ電界効果トランジスタ４，５の寄生ダイオード、１０，１１は第４図に示す特性を持ったインバータ回路、である。すなわちインバータ回路１０，１１は、入力が正のとき、出力として零か負を出力し、入力が零のとき、または負のときには、何れの場合でも正を出力するという特性を持っている。そのほか、ｎ１はトランス３の１次巻線、ｎ２１，ｎ２２はそれぞれ２次巻線、ｎ３１，ｎ３２はそれぞれ駆動巻線である。
　また、第５図は第３図の回路の動作波形を示す波形図であって、ａはトランス巻線ｎ１の電圧、ｂ，ｃ，ｄはそれぞれ整流用電界効果トランジスタ４のゲート・ドレイン電圧，ソース・ドレイン電流，ソース・ドレイン電圧、ｅ，ｆ，ｇははそれぞれ整流用電界効果トランジスタ５のゲート・ドレイン電圧，ソース・ドレイン電流，ソース・ドレイン電圧、ｈはトランス巻線ｎ３１の電圧、ｉは巻線ｎ３２の電圧である。
　次に動作を説明する。第５図の時刻ｔ０においてトランス巻線ｎ１の・印側に正の電圧が発生するとｎ３１，ｎ３２巻線には・印側に正の電圧が発生するため、インバータ回路１０の出力は正、インバータ回路１１の出力は零（または負）であり、整流用電界効果トランジスタ４がオン、整流用電界効果トランジスタ５がオフとなり、トランス巻線ｎ２１の電圧が平滑フィルタ６を介して出力端子７へ伝達される。時刻ｔ１においてトランス巻線ｎ１の電圧が零になると、ｎ３１，ｎ３２巻線の電圧は零となるため、インバータ回路１０，１１共に出力が正となり、整流用電流効果トランジスタ４，５共にオンになる。この状態では平滑フィルタ６から供給される電流がトランス巻線ｎ２１，ｎ２２を分流する。時刻ｔ２においてトランス巻線ｎ１の・印側に負の電圧が発生すると、トランス３のｎ３１，ｎ３２巻線には・印側に負の電圧が発生するため、インバータ回路１０の出力は零（または負）、インバータ回路１１の出力は正であり、整流用電界効果トランジスタ４がオフ、整流用電界効果トランジスタ５がオンとなり、トランス巻線ｎ２２の電圧が平滑フィルタ６を介して出力端子７へ伝達される。時刻ｔ３においてトランス巻線ｎ１の電圧が零になるとｔ１〜ｔ２期間と同様の動作で、整流用電解効果トランジスタ４，５共にオンとなり、平滑フィルタ６の電流がトランス巻線ｎ２１，ｎ２２を分流する。時刻ｔ４以後はｔ０からの動作を繰り返す。
　このような動作により、整流用電界効果トランジスタのオン電圧は、第５図ｄ，ｇに示すようにオン期間全域で低い値に押えられ、低損失な整流回路を構成できる。」（公報第２頁右下欄第２行〜第３頁右上欄第１４行）
［対比］
　本願発明と引用例に記載された発明とを対比すると、両者の一致点は次のとおりである。
（一致点）
○本願発明の
「一次巻線と、中点が設けられ一端から前記中点迄の巻線と他端から前記中点迄の巻線が同相とされた二次巻線と、を備えたトランス」は、
　引用例に記載された発明の
「１次巻線」と「センタータップ付き２次巻線」からなる「トランス」
　に相当する。
○同様に、本願発明の
「前記トランスの一次巻線に一方向の電圧を印加した後に電圧の印加を所定期間停止し、前記一次巻線に他方向の電圧を印加した後に電圧の印加を所定期間停止することを繰り返す電圧印加手段」は、
　引用例に記載された発明の
「正・負・零の期間を持つ矩形波」を出力する「直流を電源とする矩形波発信器」
　に相当する。
○同様に、本願発明の
「前記トランスの二次巻線の一端と、一定の基準電位とされる接続点との間に設けられた第１スイッチング素子」は、
　引用例に記載された発明の
「該トランスのセンタータップ付き２次巻線の一端から得られる出力を」整流する「第１のスイッチング素子」
　に相当する。
○同様に、本願発明の
「前記トランスの二次巻線の他端と前記接続点との間に設けられた第２スイッチング素子」は、
　引用例に記載された発明の
「他端から得られる出力を」整流する「第２のスイッチング素子」
　に相当する。
○同様に、本願発明の
「前記二次巻線の中点と前記接続点との間に設けられた平滑回路」は、
　引用例に記載された発明の
「平滑フィルタ」
　に相当する。
○そして、本願発明の
「前記第１スイッチング素子を、前記基準電位に対する前記二次巻線の一端の電位がハイレベルの間中オフさせ、前記一端の電位がローレベルの間中オンさせると共に、前記第２スイッチング素子を、前記基準電位に対する前記二次巻線の他端の電位がハイレベルの間中オフさせ、前記他端の電位がローレベルの間中オンさせる制御手段」について、以下考察する。
　第１スイッチング素子に関して「前記基準電位に対する前記二次巻線の一端の電位がハイレベルの間」は、本願第２図に示される「Ｃ」の期間であるところ、引用例第５図に示されるｔ２〜ｔ３の期間がこれに対応し、本願の「第１スイッチング素子」に相当する引用例の「第１のスイッチング素子」も「オフ」状態であり、同様に「前記一端の電位がローレベルの間」は、［Ａ」，「Ｂ」，「Ｂ」の期間であるところ、引用例の対応するｔ０〜ｔ１，ｔ１〜ｔ２，ｔ３〜ｔ４の期間、引用例の「第１のスイッチング素子」も「オン」状態である。
　第２スイッチング素子に関しても同様に「前記基準電位に対する前記二次巻線の他端の電位がハイレベルの間」は「Ａ」であるところ、引用例の対応するｔ０〜ｔ１の期間、引用例の「第２のスイッチング素子」も「オフ」状態であり、同様に「前記他端の電位がローレベルの間」は「Ｂ」，「Ｃ」，「Ｂ」であるところ、引用例の対応するｔ１〜ｔ２，ｔ２〜ｔ３，ｔ３〜ｔ４の期間、引用例の「第２のスイッチング素子」も「オン」状態である。
　してみると、本願発明の「制御手段」は、引用例に記載された発明の「前記トランスの２次側に発生する電圧を検出し、その結果、任意の一極性の電圧が発生している期間と零電圧の期間では前記第１のスイッチング素子を導通させ、前記極性と反対極性の電圧が発生している期間と零電圧の期間では前記第２のスイッチング素子を導通させる手段」に相当している。
　以上の通りであるので、本願発明は、全て引用例に記載されているものであり、相違点はない。
［むすび］
　したがって、本願発明は、引用例に記載された発明であるから、特許法第２９条第１項第３号に該当し、特許を受けることができない。
　よって、結論のとおり審決する。